(57)【要約】【課題】携帯端末装置におけるアクセスの利便性の向上。【解決手段】無線通信部１１は、アクセスポイントとの間で無線信号の送受信を行う。ＡＰ認識部１２は、無線通信部１１で受信した無線信号を元に携帯端末装置ＰＴ１が属しているアクセスポイントを認識する。設定情報保持部１３は、アクセス可能なアクセスポイントの設定情報を予め保持しておく。機能制限処理部１４は、ＡＰ認識部１２で認識したアクセスポイントが設定情報保持部１３に設定情報として保持されていない場合に、携帯端末装置ＰＴ１における使用可能な機能を限定する。表示部１５は、機能制限処理部１４で限定された使用可能な機能の一覧を表示する。操作部１６は、一覧から一つの機能を選択する。【選択図】図２
2009224876.tif 000002
【特許請求の範囲】
【請求項１】
アクセスポイントとの間で無線信号の送受信を行う無線通信部と、
前記無線通信部で受信した無線信号を元に携帯端末装置が属しているアクセスポイントを認識するＡＰ認識部と、
アクセス可能なアクセスポイントの設定情報を予め保持しておく設定情報保持部と、
前記ＡＰ認識部で認識したアクセスポイントが前記設定情報保持部に設定情報として保持されていない場合に、携帯端末装置における使用可能な機能を限定する機能制限処理部と、
を備えることを特徴とする携帯端末装置。
【請求項２】
前記機能制限処理部は、前記ＡＰ認識部で認識したアクセスポイントが前記設定情報保持部に設定情報として保持されている場合に、アクセスポイントから送られる機能制限情報を元に携帯端末装置における使用可能な機能を限定することを特徴とする請求項１記載の携帯端末装置。
【請求項３】
前記機能制限処理部で限定された使用可能な機能の一覧を表示する表示部と、
前記一覧から一つの機能を選択する操作部と、
をさらに備えることを特徴とする請求項１または２記載の携帯端末装置。
【請求項４】
請求項１乃至３のいずれか一に記載の携帯端末装置とアクセスポイントとを含む無線通信システム。
【請求項５】
アクセスポイントとの間で無線信号の送受信を行うと共に、アクセス可能なアクセスポイントの設定情報を予め保持しておく携帯端末装置におけるアクセス方法であって、
受信した無線信号を元に携帯端末装置が属しているアクセスポイントを認識するステップと、
前記認識したアクセスポイントが前記設定情報として保持されているか否かを判定するステップと、
前記設定情報として保持されてない場合に、携帯端末装置における使用可能な機能を限定するステップと、
を含むことを特徴とする携帯端末装置のアクセス方法。
【請求項６】
前記携帯端末装置における使用可能な機能を限定するステップにおいて、前記認識したアクセスポイントが前記設定情報として保持されている場合に、アクセスポイントから送られる機能制限情報を元に携帯端末装置における使用可能な機能を限定することを特徴とする請求項５記載の携帯端末装置のアクセス方法。
【請求項７】
前記限定された使用可能な機能の一覧を表示するステップと、
前記一覧から一つの機能を選択するステップと、
をさらに含むことを特徴とする請求項５または６記載の携帯端末装置のアクセス方法。
【請求項８】
アクセスポイントとの間で無線信号の送受信を行うと共に、アクセス可能なアクセスポイントの設定情報を予め保持しておく携帯端末装置を構成するコンピュータに、
受信した無線信号を元に携帯端末装置が属しているアクセスポイントを認識する処理と、
前記認識したアクセスポイントが前記設定情報として保持されているか否かを判定する処理と、
前記設定情報として保持されてない場合に、携帯端末装置における使用可能な機能を限定する処理と、
を実行させるプログラム。
【請求項９】
前記携帯端末装置における使用可能な機能を限定する処理において、前記認識したアクセスポイントが前記設定情報として保持されている場合に、アクセスポイントから送られる機能制限情報を元に携帯端末装置における使用可能な機能を限定する処理を実行させる請求項８記載のプログラム。
【請求項１０】
前記限定された使用可能な機能の一覧を表示する処理と、
前記一覧から一つの機能を選択する処理と、
をさらに実行させる請求項８または９記載のプログラム。
【発明の詳細な説明】
【技術分野】
【０００１】
本発明は、携帯端末装置、そのアクセス方法、およびプログラムに係り、特に、無線通信におけるアプリケーション機能を制限する携帯端末装置、そのアクセス方法、およびプログラムに係る。
【背景技術】
【０００２】
様々な場所において、携帯端末装置が無線ＬＡＮ環境を使用してＶｏＩＰ通信、ファイル大容量転送、ブラウジング等の機能を使用できる環境が整ってきている。このような無線ＬＡＮ環境では、使用する場所によって機能を制限したいケースが存在する。例えば、製造現場等におけるカメラによる撮影等が考えられる。この様な機能制限を無線ＬＡＮ環境下において提供することで意図した機能制限を行い、情報漏洩を防ぐことが可能となる（例えば特許文献１、２、３参照）。
【０００３】
【特許文献１】特開２００６−２０３５０７号公報
【特許文献２】特開２００６−３１９５７５号公報
【特許文献３】特開２００７−１３４７９４号公報
【発明の開示】
【発明が解決しようとする課題】
【０００４】
以下の分析は本発明において与えられる。
【０００５】
ところで、携帯端末装置が無線通信環境においてアクセスポイントにアクセスする場合、携帯端末装置は、情報漏洩を防ぐために予め信頼性の高いアクセスポイントを登録しておくことで信頼性の確保を行うのが一般的である。したがって、登録されていないアクセスポイントにはアクセスすることができず、広範囲に亘ってアクセスできる利便性に欠けることとなる。
【０００６】
したがって、本発明の目的は、信頼性を考慮した上で広いエリアでアクセスを可能とする携帯端末装置、そのアクセス方法、およびプログラムを提供することにある。
【課題を解決するための手段】
【０００７】
本発明の１つのアスペクト（側面）に係る携帯端末装置は、アクセスポイントとの間で無線信号の送受信を行う無線通信部と、無線通信部で受信した無線信号を元に携帯端末装置が属しているアクセスポイントを認識するＡＰ認識部と、アクセス可能なアクセスポイントの設定情報を予め保持しておく設定情報保持部と、ＡＰ認識部で認識したアクセスポイントが設定情報保持部に設定情報として保持されていない場合に、携帯端末装置における使用可能な機能を限定する機能制限処理部と、を備える。
【０００８】
本発明の携帯端末装置において、機能制限処理部は、ＡＰ認識部で認識したアクセスポイントが設定情報保持部に設定情報として保持されている場合に、アクセスポイントから送られる機能制限情報を元に携帯端末装置における使用可能な機能を限定するようにしてもよい。
【０００９】
本発明の携帯端末装置において、機能制限処理部で限定された使用可能な機能の一覧を表示する表示部と、一覧から一つの機能を選択する操作部と、をさらに備えるようにしてもよい。
【００１０】
本発明の無線通信システムにおいて、上記の携帯端末装置とアクセスポイントとを含むことが好ましい。
【００１１】
本発明の他のアスペクト（側面）に係る携帯端末装置のアクセス方法は、アクセスポイントとの間で無線信号の送受信を行うと共に、アクセス可能なアクセスポイントの設定情報を予め保持しておく携帯端末装置におけるアクセス方法であって、受信した無線信号を元に携帯端末装置が属しているアクセスポイントを認識するステップと、認識したアクセスポイントが設定情報として保持されているか否かを判定するステップと、設定情報として保持されてない場合に、携帯端末装置における使用可能な機能を限定するステップと、
を含む。
【００１２】
本発明の別のアスペクト（側面）に係るプログラムは、アクセスポイントとの間で無線信号の送受信を行うと共に、アクセス可能なアクセスポイントの設定情報を予め保持しておく携帯端末装置を構成するコンピュータに、受信した無線信号を元に携帯端末装置が属しているアクセスポイントを認識する処理と、認識したアクセスポイントが設定情報として保持されているか否かを判定する処理と、設定情報として保持されてない場合に、携帯端末装置における使用可能な機能を限定する処理と、を実行させる。
【発明の効果】
【００１３】
本発明によれば、携帯端末装置における使用可能な機能を限定することで広いエリアで限定した機能によるアクセスが可能となり利便性が向上する。
【発明を実施するための最良の形態】
【００１４】
本発明の実施形態に係る携帯端末装置は、無線通信部とＡＰ認識部と設定情報保持部と機能制限処理部と表示部と操作部とを備える。無線通信部は、アクセスポイントとの間で無線信号の送受信を行う。ＡＰ認識部は、無線通信部で受信した無線信号を元に携帯端末装置が属しているアクセスポイントを認識する。設定情報保持部は、アクセス可能なアクセスポイントの設定情報を予め保持しておく。機能制限処理部は、ＡＰ認識部で認識したアクセスポイントが設定情報保持部に設定情報として保持されていない場合に、携帯端末装置における使用可能な機能を限定する。また、機能制限処理部は、ＡＰ認識部で認識したアクセスポイントが設定情報保持部に設定情報として保持されている場合に、アクセスポイントから送られる機能制限情報を元に携帯端末装置における使用可能な機能を限定する。表示部は、機能制限処理部で限定された使用可能な機能の一覧を表示する。操作部は、一覧から一つの機能を選択する。
【００１５】
以下、実施例に即し、図面を参照し詳しく説明する。
【実施例１】
【００１６】
図１は、本発明の実施例に係る無線通信システムの構成を示す図である。図１において、無線通信システムは、携帯端末装置ＰＴ１、アクセスポイントＡＰ１、ＡＰ２、ＡＰ３を備える。携帯端末装置ＰＴ１は、無線ＬＡＮ機能を有する端末であって、アクセスポイントＡＰ１、ＡＰ２、ＡＰ３の各エリア内に入ることでエリアに対応するアクセスポイントから無線ＬＡＮサービスの提供を受けることができる。アクセスポイントＡＰ１、ＡＰ２、ＡＰ３は、携帯端末装置ＰＴ１に対して無線ＬＡＮ環境を提供する装置である。
【００１７】
図２は、本発明の実施例に係る携帯端末装置の構成を示す図である。図２において、携帯端末装置ＰＴ１は、制御部１０、無線通信部１１、ＡＰ認識部１２、設定情報保持部１３、機能制限処理部１４、表示部１５、操作部１６、および図示されない携帯端末装置としての各種機能部を備える。
【００１８】
無線通信部１１は、アクセスポイントＡＰｎとの間で無線信号の送受信を行う。ＡＰ認識部１２は、無線通信部１１で受信した無線信号を元に携帯端末装置ＰＴ１が属しているアクセスポイントＡＰｎを認識する。設定情報保持部１３は、アクセス可能なアクセスポイントの設定情報を予め保持しておく。機能制限処理部１４は、ＡＰ認識部１２で認識したアクセスポイントが設定情報保持部１３に保持されているアクセス可能なアクセスポイントではない場合に携帯端末装置ＰＴ１の使用可能な機能を制限する。また、アクセスポイントから送られるデータを元に携帯端末装置ＰＴ１の使用可能な機能を制限する。ただし、アクセスポイントから送られるデータが携帯端末装置ＰＴ１の使用可能な機能を制限するものではない場合、特段の機能制限は行わない。表示部１５は、ＬＣＤ等で構成され、アクセスポイントから送られる表示に係るデータ、操作部１６による操作に係るデータ、その他可視表示用のデータの表示を行う。操作部１６は、押しボタンスイッチ等で構成され、携帯端末装置ＰＴ１の操作に係るデータの入力を行う。制御部１０は、プログラム制御で動作し、無線通信部１１、ＡＰ認識部１２、設定情報保持部１３、機能制限処理部１４、表示部１５、操作部１６の制御を行う。なお、ＡＰ認識部１２、設定情報保持部１３、機能制限処理部１４等の一部あるいは全部をプログラムで動作するように構成してもよい。
【００１９】
図３は、本発明の実施例に係る携帯端末装置の動作を表すフローチャートである。ステップＳ１１において、ＡＰ認識部１２は、受信した無線信号を元に携帯端末装置ＰＴ１が属しているアクセスポイントを認識する。
【００２０】
ステップＳ１２において、機能制限処理部１４は、認識したアクセスポイントが設定情報保持部１３に設定情報として保持されているか否かを判定する。
【００２１】
認識したアクセスポイントが設定情報として保持されてない場合（ステップＳ１２のＮｏ）に、ステップＳ１３において、機能制限処理部１４は、携帯端末装置ＰＴ１における使用可能な機能を限定する。
【００２２】
認識したアクセスポイントが設定情報として保持されている場合（ステップＳ１２のＹｅｓ）に、ステップＳ１４において、機能制限処理部１４は、アクセスポイントから送られる機能制限情報を元に携帯端末装置ＰＴ１における使用可能な機能を限定する。ただし、アクセスポイントから送られるデータが携帯端末装置ＰＴ１の使用可能な機能を制限するものではない場合、特段の機能制限は行わない。
【００２３】
ステップＳ１５において、表示部１５は、使用可能な機能の一覧を表示する。
【００２４】
ステップＳ１６において、ユーザは、操作部１６によって表示された一覧から一つの機能を選択する。
【００２５】
次に、以上のように動作する携帯端末装置ＰＴ１が複数のアクセスポイントに対して移動してアクセスする場合の例について説明する。ここで、アクセスポイントＡＰ１は、携帯端末装置ＰＴ１が設定情報保持部１３にＡＰ設定情報を保持するアクセスポイントである。また、アクセスポイントＡＰ２は、携帯端末装置ＰＴ１が設定情報保持部１３にＡＰ設定情報を保持しないアクセスポイントである。さらに、アクセスポイントＡＰ３は、携帯端末装置ＰＴ１が設定情報保持部１３にＡＰ設定情報を保持し、かつ、携帯端末装置ＰＴ１における機能を制限する為に、ビーコン送信時に機能制限用に設けられたＩＥを含むビーコンを送信可能とするアクセスポイントである。
【００２６】
このようなアクセスポイントＡＰ１、ＡＰ２、ＡＰ３への携帯端末装置ＰＴ１の接続は、一般に携帯端末装置ＰＴ１がアクセスポイントＡＰ１、ＡＰ２、ＡＰ３の設定を設定情報保持部１３に有している時のみ接続が可能である。したがって、携帯端末装置ＰＴ１がアクセスポイントＡＰ１、ＡＰ２、ＡＰ３の接続設定を有していない場合には、各アクセスポイントＡＰ１、ＡＰ２、ＡＰ３のエリア内に移動したとしても接続は不可能である。そこで、この制約を解消するための仕組みについての動作説明を行う。
【００２７】
携帯端末装置ＰＴ１がアクセスポイントＡＰ１のエリア内に入った場合には、携帯端末装置ＰＴ１は、アクセスポイントＡＰ１の設定情報を設定情報保持部１３に保持しているので、アクセスポイントＡＰ１との間で無線ＬＡＮが接続可能な状態となる。この状態で携帯端末装置ＰＴ１がアクセスポイントＡＰ２のエリアへ移動した場合、携帯端末装置ＰＴ１は、アクセスポイントＡＰ２の設定情報を設定情報保持部１３に保持していない。したがって、携帯端末装置ＰＴ１は、アクセスポイントＡＰ１のエリアから外れた場合に無線ＬＡＮの接続が不可能な状態となる。
【００２８】
但し、ＡＰアクセスポイントＡＰ１において特殊なセキュリティ設定が行われていない場合、携帯端末装置ＰＴ１は、ネットワーク識別子の一種であるＥＳＳＩＤ（Ｅｘｔｅｎｄｅｄ  Ｓｅｒｖｉｃｅ  Ｓｅｔ  Ｉｄｅｎｔｉｆｉｅｒ）等の情報を携帯端末装置ＰＴ１内に設定して無線ＬＡＮ環境に接続する。この場合、アクセスポイントＡＰ２は、予めユーザが設定していない接続先情報であるため、携帯端末装置ＰＴ１は、アクセスポイントＡＰ２との接続におけるセキュリティが低いものであると判断し、機能制限処理部１４によって使用可能な機能の制限を行う。例えば、高いセキュリティが求められるファイル転送機能などを不可とし、ＷＥＢサイト閲覧のみ可能とするように設定する。携帯端末装置ＰＴ１は、使用可能な機能の一覧を表示部１５に表示し、ユーザは、操作部１６の操作によって機能の一覧から所望の機能を選択し、そのサービスを受ける。
【００２９】
また、携帯端末装置ＰＴ１がアクセスポイントＡＰ３へ移動した場合、携帯端末装置ＰＴ１は、アクセスポイントＡＰ３の設定情報を設定情報保持部１３に保持しているので、アクセスポイントＡＰ３との間で無線ＬＡＮが使用可能な状態となる。この時、アクセスポイントＡＰ３は、ビーコン情報のＩＥ（Ｉｎｆｏｒｍａｔｉｏｎ  Ｅｌｅｍｅｎｔ）中に機能制限用に設けられた情報をビット列として埋め込んで送信しているものとする。ビット列中の各ビット情報は、携帯端末装置中の機能をそれぞれ表し、ビット列のデータ受信によって該当エリアでの接続が行われている間は、携帯端末装置ＰＴ１は、該当する機能の使用をマスクして使用不可の状態にする。例えば、受信したビット列が「１０００」（２進数）であって先頭ビットがカメラ機能に割り当てられている場合、カメラ機能が使用不可とされる。この様にアクセスポイントから送信されるビーコン中のＩＥ情報の中に機能制限情報を付加し、携帯端末装置ＰＴ１上の機能を使用不可とする。
【００３０】
さらに、携帯端末装置ＰＴ１が接続可能なアクセスポイント（ここではアクセスポイントＡＰ１、ＡＰ３が相当）において、接続中アクセスポイントのＥＳＳＩＤが端末中で保持している機能制限用のＥＳＳＩＤと一致する場合は、該当のアクセスポイントに接続している間中、携帯端末装置ＰＴ１における機能が機能制限処理部１４によって制限される。この際、携帯端末装置ＰＴ１は、機能制限されると共に、使用可能な機能のみをメニュー等で表示部１５に表示する様にカスタマイズする機能を有するようにしてもよい。
【００３１】
なお、前述の特許文献等の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【図面の簡単な説明】
【００３２】
【図１】本発明の実施例に係る無線通信システムの構成を示す図である。
【図２】本発明の実施例に係る携帯端末装置の構成を示す図である。
【図３】本発明の実施例に係る携帯端末装置の動作を表すフローチャートである。
【符号の説明】
【００３３】
１０  制御部
１１  無線通信部
１２  ＡＰ認識部
１３  設定情報保持部
１４  機能制限処理部
１５  表示部
１６  操作部
ＡＰ１、ＡＰ２、ＡＰ３  アクセスポイント
ＰＴ１  携帯端末装置
【図１】
2009224876.tif 000003
【図２】
2009224876.tif 000004
【図３】
2009224876.tif 000005